【手続補正書】
【提出日】平成19年7月25日(2007.7.25)
【手続補正１】
【補正対象書類名】特許請求の範囲
【補正対象項目名】全文
【補正方法】変更
【補正の内容】
【特許請求の範囲】
【請求項１】
第１、第２電流源によって、交互に充放電されるように結合されたキャパシタと、
前記キャパシタに結合されたベースを有する第１のバイポーラ・トランジスタを有し、前記第１のバイポーラ・トランジスタは前記第１のバイポーラ・トランジスタのエミッタにおける電圧が前記キャパシタの電圧に追従するようにバイアスされる第１の電圧フォロア回路と、
第１、第２の電流経路を有し、かつ前記第１の電流経路は、前記第１のバイポーラ・トランジスタの前記ベースに結合され、前記第１のバイポーラ・トランジスタの前記ベースによって受け入れられるベース電流のすべてを実質的に提供し、これによって前記第１のバイポーラ・トランジスタのベースによって受け入れられるベース電流が前記キャパシタから受け入れられるゼロ電流を実質的に含む電流ミラーとから構成されることを特徴とする回路。
【請求項２】
前記第１、第２の電流源によって提供される電流の大きさを可変とし、それによって前記キャパシタに提供される振動電圧の周波数が調整されることを特徴とする請求項１に記載の回路。
【請求項３】
前記第２の電流経路に結合されたベースを有する第２のバイポーラ・トランジスタを含む第２の電圧フォロア回路であって、前記第２の電流経路が、実質上前記第２のバイポーラ・トランジスタの前記ベースによって受け入れられるベース電流のすべてを提供する第２の電圧フォロア回路をさらに備えることを特徴とする請求項１に記載の回路。
【請求項４】
前記第１、第２のバイポーラ・トランジスタが実質上電流密度で整合されることを特徴とする請求項３に記載の回路。
【請求項５】
第１、第２のバイアス電流源であって、前記第１のバイアス電流源が前記第１のバイポーラ・トランジスタの前記エミッタに結合され、前記第２のバイアス電流源が前記第２のバイポーラ・トランジスタのエミッタに結合される第１、第２のバイアス電流源をさらに備えることを特徴とする請求項３に記載の回路。
【請求項６】
前記第２の電流源と前記キャパシタの間に結合されたスイッチであって、前記スイッチは交互に開閉されるように結合され、その結果、前記スイッチが開かれたとき、前記第１の電流源は前記キャパシタを充電するように結合され、前記スイッチが閉じられたとき、前記第１、第２電流源は前記キャパシタを放電するように結合されるようにされたスイッチをさらに備えることを特徴とする請求項１に記載の回路。
【請求項７】
前記キャパシタの前記電圧が第１のしきい値に充電されるまで前記スイッチが開かれるように結合され、前記キャパシタの前記電圧が第２のしきい値に放電されるまで前記スイッチが閉じられるように結合されていることを特徴とする請求項６に記載の回路。
【請求項８】
前記第１のバイポーラ・トランジスタの前記エミッタにおける前記電圧を受け入れるように結合された比較器であって、前記比較器の出力部が前記スイッチを制御するように結合された比較器をさらに備えることを特徴とする請求項７に記載の回路。
【請求項９】
前記第１、第２の電流源によって提供される電流の比率が実質上固定され、それによって前記キャパシタに提供される振動電圧の実質上固定されたデューティ比が提供されることを特徴とする請求項１に記載の回路。
【請求項１０】
前記第１、第２の電流源によって提供される電流の比率を可変とし、それによって前記キャパシタに提供される振動電圧のデューティ比が調整されることを特徴とする請求項１に記載の回路。
【請求項１１】
前記第１、第２の電流源によって提供される電流の大きさが実質上固定され、それによって前記キャパシタに提供される振動電圧の実質上固定された周波数が提供されることを特徴とする請求項１に記載の回路。
【請求項１２】
第１の電流源とスイッチに結合され、前記スイッチは第２の電流源に結合され、前記第１の電流源と前記第２の電流源の大きさと方向により前記キャパシタの電圧が、前記スイッチが開かれたときある方向に変化し、前記スイッチが閉じられたとき逆の方向に変化するキャパシタと、
前記キャパシタに結合された入力部を含む電圧フォロア回路と、
前記電圧フォロア回路の出力部に結合された入力部を有し、かつ前記キャパシタの前記電圧が第１のしきい値に達したとき前記スイッチを開き、前記キャパシタの前記電圧が第２のしきい値に達したとき前記スイッチを閉じるように、前記スイッチに結合された出力部を有する比較器回路と、
前記電圧フォロア回路内に含まれた第１のバイポーラ・トランジスタであって、第３の電流源に結合されたエミッタ、および前記キャパシタに結合された前記第１のバイポーラ・トランジスタのベースを有する第１のバイポーラ・トランジスタと、
前記第１のバイポーラ・トランジスタと実質上同一である第２のバイポーラ・トランジスタであって、前記第２のバイポーラ・トランジスタのエミッタが第４の電流源に結合され、前記第４の電流源が前記第３の電流源と実質上同一である第２のバイポーラ・トランジスタと、
前記第１のバイポーラ・トランジスタの前記ベースに結合された前記電流ミラー回路の出力電流が前記第２のバイポーラ・トランジスタのベース電流と実質上同等となるように、前記第２のバイポーラ・トランジスタのベースに結合された電流ミラー回路と
を備えることを特徴とする集積回路。
【請求項１３】
前記集積回路が切換電源内の制御装置内に含まれることを特徴とする請求項１２に記載の集積回路。
【請求項１４】
前記キャパシタの前記電圧が変化している間、前記第１の電流源の前記大きさと前記第２の電流源の前記大きさが実質上一定であることを特徴とする請求項１２に記載の集積回路。
【請求項１５】
前記キャパシタの前記電圧が変化している間、前記第１の電流源の前記大きさと前記第２の電流源の前記大きさが、実質上一定の比率で比例することを特徴とする請求項１２に記載の集積回路。
【請求項１６】
前記第１の電流源の前記大きさと前記第２の電流源の前記大きさが可変であることを特徴とする請求項１２に記載の集積回路。
【請求項１７】
第１の電流源と第２の電流源に結合されたキャパシタであって、前記第１の電流源と前記第２の電流源の大きさと方向が、それぞれ前記キャパシタの電圧を、前記キャパシタの前記電圧が第１のしきい値に達するまである方向に変化させ、前記キャパシタの前記電圧が第２のしきい値に達したとき逆方向に変化させるキャパシタと、
前記キャパシタに結合されたベースを有する第１のバイポーラ・トランジスタと、
前記第１のバイポーラ・トランジスタの電流密度と実質上同等である電流密度を有する第２のバイポーラ・トランジスタと、
前記第２のバイポーラ・トランジスタのベースに結合された電流ミラー回路であって、前記電流ミラー回路が前記第２のバイポーラ・トランジスタのベース電流に実質上対応した出力を有し、前記電流ミラー回路の前記出力が前記第１のバイポーラ・トランジスタのベース電流と実質上同等であり、前記第１のバイポーラ・トランジスタの前記ベースに結合された電流ミラー回路と
を備えることを特徴とする集積回路発振器。
【請求項１８】
前記集積回路が切換電源内の制御装置内に含まれることを特徴とする請求項１７に記載の集積回路。
【請求項１９】
前記キャパシタの前記電圧が変化している間、前記第１の電流源の前記大きさおよび前記第２の電流源の前記大きさが実質上一定であることを特徴とする請求項１７に記載の集積回路。
【請求項２０】
前記キャパシタの前記電圧が変化している間、前記第１の電流源の前記大きさおよび前記第２の電流源の前記大きさが実質上一定の比率で比例していることを特徴とする請求項１７に記載の集積回路。
【請求項２１】
前記第１の電流源の前記大きさと前記第２の電流源の前記大きさが可変であることを特徴とする請求項１７に記載の集積回路。